(57)【要約】      （修正有）【課題】身体そのものに作用して健康を増進する入浴健康用具を提供する。【解決手段】銀２を入れた網袋１と、温められると遠赤外線を放射する遠赤外線部材である自然鉱石４を入れた網袋３とを、別の大きな網袋５に入れることにより入浴健康用具を構成する。それを浴槽に入れて入浴すれば、自然鉱石４からの遠赤外線により身体の芯から温められる同時に、銀２より放出された銀イオンが身体表面にある皮膚病等の患部を殺菌する。そのため、病院に通ったり薬を付けたりしなくとも、入浴という通常の日常生活の動作をしているだけで、頑固な皮膚病等の症状が大幅に改善される。【選択図】図１
0003109651.tif 000002
【実用新案登録請求の範囲】
【請求項１】
銀を入れた第１の網袋と、
温められると遠赤外線を放射する遠赤外線部材を入れた第２の網袋とを、
第３の網袋に入れることにより構成し、
入浴時に浴槽に入れて使用する
ことを特徴とする入浴健康用具。
【請求項２】
銀を網袋に入れることにより構成し、
入浴時に浴槽に入れて使用する
ことを特徴とする入浴健康用具。
【考案の詳細な説明】
【技術分野】
【０００１】
本考案は、入浴時に浴槽に入れておくことにより、健康を増進させる入浴健康用具に関するものである。
【背景技術】
【０００２】
入浴時に浴槽に入れて使用し、健康増進に役立てようとする物としては、従来種々のものが考えられている。そのような物の代表的な例としては、入浴剤が挙げられる。例えば、有名な温泉地の名を取った入浴剤がある。その入浴剤を入れれば、該有名温泉と同じようなお湯になるというものである。仮にその温泉の湯が、白濁していると共に硫黄等の独特の匂いを発していることで知られていれば、その入浴剤は、お湯に入れれば保温効果を有すると共に、お湯を白濁させる材料や、上記と同様の独特の匂いを発する材料を混合して製造される。
【考案の開示】
【考案が解決しようとする課題】
【０００３】
しかしながら、前記した入浴剤は或る程度の保温効果を有するから、その点では健康の増進に寄与していると言うことは出来るかも知れないが、どちらかと言えば、視覚や嗅覚を刺激して、精神的な癒し効果を得る方を主眼としているものが殆どである。お湯を有名な温泉と同じように白濁させてみたり、独特の匂いを発するようにしてみたりしているのは、まさにその典型的な例である。
このように従来の入浴剤では、主に視覚や嗅覚を刺激するに留まり、実質的に身体そのものに作用して健康を増進するという要素が少ないという問題点があった。
本考案は、このような問題点を解決することを課題とするものである。
【課題を解決するための手段】
【０００４】
前記課題を解決するため本考案では、銀を入れた第１の網袋と、温められると遠赤外線を放射する遠赤外線部材を入れた第２の網袋とを、第３の網袋に入れることにより入浴健康用具を構成し、それを入浴時に浴槽に入れて使用することとした。
また、銀を網袋に入れることにより入浴健康用具を構成し、それを入浴時に浴槽に入れて使用することとしてもよい。
【考案の効果】
【０００５】
本考案の入浴健康用具を浴槽に入れて入浴すれば、遠赤外線を放射する部材からの遠赤外線により、身体の芯から温められる同時に、銀より放出された銀イオンが、身体表面にある皮膚病等の患部を殺菌する。そのため、病院に通ったり薬を服用したり塗布したりしなくとも、入浴という通常の日常生活の動作をしているだけで、頑固な皮膚病等の症状が大幅に改善される。
【考案を実施するための最良の形態】
【０００６】
以下、本考案の実施形態を図面に基づいて詳細に説明する。
図１は、本発明の入浴健康用具の第１の例を示す図である。図１において、１は網袋、２は銀、３は網袋、４は自然鉱石、５は網袋、６は絞り紐である。
まず、本考案の入浴健康用具の第１の例の、全体的構成を説明する。第１の例の入浴健康用具は、銀２を入れた網袋１と、自然鉱石４を入れた網袋３とを、網袋５に入れることにより構成される。絞り紐６は、網袋５の袋の口を絞るためのものである。
【０００７】
次にそれぞれの要素について説明する。網袋１に入れる銀２は、銀の塊であっても良いし、銀の板ないし棒であっても良い。浴槽に入れてお湯に接触させ、銀イオンを放出するためのものであるから、お湯との接触面（即ち表面積）が広い程よい。従って、銀２は、塊にするにしても板や棒にするにしても、サイズが小さなものであることが望ましい。それに伴い、網袋１の網目は小さなものとする必要がある。
網袋３に入れる自然鉱石４としては、温められた場合に遠赤外線を放射する効率が良い鉱石を選定する。自然鉱石４の大きさもあまり大きな塊でないことが望ましい。なぜなら、浴槽のお湯により温められ易いことが必要であるが、大きな塊であると中心部まで温められるのに時間がかかるからである。
【０００８】
なお、本考案でこの鉱石に期待している役割は、遠赤外線を放射してくれることである。従って、必ずしも自然の鉱石である必要はなく、温められたら遠赤外線をよく放射してくれる部材であれば他の物でもよい。例えば、温められた場合に遠赤外線をよく放射するよう人工的に作られた機能性セラミックがあるが、それを代わりに使用してもよい。
【０００９】
上記のようにして構成した入浴健康用具を入浴時に浴槽に入れておくと、銀２からはお湯の中に銀イオンが放出され、自然鉱石４からは遠赤外線が放射される。銀イオンは強い殺菌作用を有しており、遠赤外線は身体を芯から（奥深くから）温める作用を有している。このようなお風呂に人が入ると、身体が芯から温められると同時に、身体表面に患部があれば、銀イオンがそれに働きかけて殺菌作用をしてくれる。
【００１０】
そのため、身体表面に患部のある病気、特に皮膚病には顕著な効果を発揮することが、実験等により判明した。皮膚病の中でも、水虫，たむし，アトピー性皮膚炎等は、病院にかかって何年治療しても、完治し難い病気だと言われているのが一般的である。ところが、そのような病気を持った人でも、本考案の入浴健康用具を用いて入浴を繰り返したところ、その症状が大幅に改善することが認められた。
この症状改善のメカニズムは、医学的に明確に解明されたわけではないが、遠赤外線により身体が芯から温められているという状態において、銀イオンによる殺菌作用が加えられるため、両者が相乗的に働き合って症状改善をもたらしているものと思われる。
【００１１】
図２は、本発明の入浴健康用具の第２の例を示す図であり、符号は図１のものに対応している。前記した第１の例と相違する点は、遠赤外線を放出する自然鉱石４は用いずに、銀２を入れた網袋１のみをもって入浴健康用具を構成した点である。
これを入浴時に浴槽に入れておくと、お湯の中に銀イオンを放出する。上述したように、銀イオンは強い殺菌作用を有しているから、入浴している人の身体表面の患部に働きかけ、殺菌作用をすることになる。それにより、皮膚病等の症状が大幅に改善される。ただ、自然鉱石４のような遠赤外線を放出する要素が含まれていない分だけ、身体を芯から温めるという効果は弱くなるが、お湯により身体が温められているという状態は一応実現されている。従って、身体が温められているという状態において、銀イオンによる殺菌作用が加えられていることに変わりはなく、皮膚病等の症状改善という効果はほぼ同様に奏される。
【００１２】
このように本考案によれば、病院に通ったり薬を服用したり塗布したりといった煩わしいことをしなくとも、本考案の入浴健康用具を浴槽に入れておきさえすれば、通常の日常生活の一部である入浴という動作をするだけで、知らず知らずのうちに頑固な皮膚病の症状を、大幅に改善することが可能となる。
【００１３】
なお、上記で説明した本考案のものは、洗濯時に使用して、洗濯物に付着した雑菌を殺したり、その繁殖を抑えたりするのにも、応用することが出来る。
即ち、洗濯機の洗濯槽の容量に合わせて銀等の量を適宜調節し、洗濯時に洗濯槽の中に入れておく。すると、洗濯液中に銀イオンが溶け出し、洗濯物の表面には満遍なく銀イオンが付着するから、あたかも洗濯物全体が銀イオンコートされる形となる。洗濯前の洗濯物の嫌な臭い（例、汗の臭いや靴下の嫌な臭い）は、雑菌により発せられているわけであるが、その雑菌が洗濯中に銀イオンにより殺されたり、繁殖が抑制されたりすることになる。そのため、従来のやり方で洗濯やすすぎを行なった場合に比べ、洗濯物の清潔度を大幅に向上させることが出来る。
【図面の簡単な説明】
【００１４】
【図１】本発明の入浴健康用具の第１の例を示す図
【図２】本発明の入浴健康用具の第２の例を示す図
【符号の説明】
【００１５】
１…網袋、２…銀、３…網袋、４…自然鉱石、５…網袋、６…絞り紐
【図１】
0003109651.tif 000003
【図２】
0003109651.tif 000004